(57)【特許請求の範囲】
【請求項１】
基台部の一辺側に櫛歯が列設して成る櫛部、これに対向して形成されるヘラ部および基台部の長手方向後部に形成される柄部を有する毛髪用塗布具であって、
前記基台部は、前記一辺側に対向する辺の部分に形成される接合部を有し、
前記接合部には前記基台部の先端側から前記柄部方向に溝が形成され、前記溝は、前記基台部の先端側が開口し、前記基台部の前記柄部側は封止され、前記溝の上部には切片が設けられ、
前記基台部の前記接合部、前記櫛部が設けられる前記一辺側が前記基台部の中央部分より肉厚に形成され、
前記ヘラ部は、可撓性を有し、平面長方形状で下部に長辺方向に切欠き部を有し、前記切欠き部の肉厚は、前記基台部の先端側より前記基台部の前記柄部側の方が薄く構成され、
前記ヘラ部は、前記基台部の先端側から前記接合部に形成された前記溝に前記切欠き部が前記基台部の先端側から離脱可能に嵌入され、前記ヘラ部の前記切欠き部より下部が前記接合部に形成された前記溝の壁に当接し、前記ヘラ部の前記切欠き部が前記接合部の前記切片に係合し、前記接合部の前記柄部側で前記基台部の前記柄部側に係止して前記基台部に固定され、
前記基台部の前記一片側は前記接合部の肉厚と同一の厚さに形成され、前記櫛部、前記へラ部の肉厚は、前記基台部の前記一片側、前記接合部の肉厚以内の厚さで構成され、
前記櫛部の長手方向の長さＮ１と前記ヘラ部の長辺方向の長さＮ２との比である前記ヘラ部の長辺方向の長さＮ２／前記櫛部の長手方向の長さＮ１が、０．７＜Ｎ２／Ｎ１＜１．１の範囲を有する毛髪用塗布具。
【請求項２】
基台部の一辺側に櫛歯が列設して成る櫛部、これに対向して形成されるヘラ部および基台部の長手方向後部に形成される柄部を有する毛髪用塗布具であって、
前記基台部は、前記一辺側に対向する辺の部分に形成される接合部を有し、
前記接合部には前記基台部の先端側から前記柄部方向に溝が形成され、前記溝は、前記基台部の先端側が開口し、前記基台部の前記柄部側は封止され、前記溝の上部には切片が設けられ、
前記基台部の前記接合部、前記櫛部が設けられる前記一辺側が前記基台部の中央部分より肉厚に形成され、
前記ヘラ部は、可撓性を有し、平面長方形状で下部に長辺方向に切欠き部を有し、前記切欠き部の肉厚は、前記基台部の先端側より前記基台部の前記柄部側の方が薄く構成され、
前記ヘラ部は、前記基台部の先端側から前記接合部に形成された前記溝に前記切欠き部が前記基台部の先端側から離脱可能に嵌入され、前記ヘラ部の前記切欠き部より下部が前記接合部に形成された前記溝の壁に当接し、前記ヘラ部の前記切欠き部が前記接合部の前記切片に係合し、前記接合部の前記柄部側で前記基台部の前記柄部側に係止して前記基台部に固定され、
前記基台部の前記一片側は前記接合部の肉厚と同一の厚さに形成され、前記櫛部、前記へラ部の肉厚は、前記基台部の前記一片側、前記接合部の肉厚以内の厚さで構成され、
前記ヘラ部の上部長辺と前記櫛部が設けられる前記基台部の前記一辺との成す角度が１５度から２５度の範囲を有する毛髪用塗布具。
【請求項３】
前記接合部に形成された前記溝の前記切片間隔が一定な請求項１または請求項２に記載の毛髪用塗布具。
【請求項４】
前記接合部に形成された前記溝の前記切片間隔は、前記基台部の先端側より前記基台部の前記柄部側の方が狭く構成される請求項１または請求項２に記載の毛髪用塗布具。
【請求項５】
前記基台部の前記中央部分で毛髪用塗布具全体の重心より前記柄部側に形成される貫通孔と、前記中央部分から延びて前記貫通孔の一面を覆う係合部とを備える請求項１から請求項４いずれか一項に記載の毛髪用塗布具。
【請求項６】
前記ヘラ部の上部が下部より薄く形成され、前記ヘラ部の短辺側側面がテーパー状である請求項１から請求項５いずれか一項に記載の毛髪用塗布具。
【請求項７】
前記ヘラ部の上部より前記切欠き部に向けて一定の厚さで、切欠き部上部が肉厚に形成される請求項１から請求項５いずれか一項に記載の毛髪用塗布具。
【請求項８】
前記基台部からの櫛高さ長Ｍ１と前記ヘラ部のうち前記ヘラ部の前記基台部より露出している部分の短辺方向の長Ｍ２との比であるヘラ部短辺長Ｍ２／櫛高さ長Ｍ１が、１．２＜Ｍ２／Ｍ１＜１．８の範囲である請求項１から請求項７いずれか一項記載の毛髪用塗布具。
【請求項９】
前記櫛部の長手方向の長さＮ１と前記ヘラ部の長辺方向の長さＮ２との比である前記ヘラ部の長辺方向の長さＮ２／前記櫛部の長手方向の長さＮ１が、０．７＜Ｎ２／Ｎ１＜１．１の範囲である請求項２記載の毛髪用塗布具。
【発明の詳細な説明】
【技術分野】
【０００１】
本発明は、毛髪用薬剤、ヘアカラー剤、トリートメント剤等の薬剤を毛髪に塗布するための毛髪用塗布具に係り、さらに詳しくはヘラ部と櫛部とを基台部両側に対向させヘラ部を基台部より着脱可能とする毛髪用塗布具に関する。
【背景技術】
【０００２】
現在市売されている一般的な毛髪用塗布具は、特許文献１、特許文献２のように柄部を有する基台にブラシ部と櫛部とを形成した構造の塗布具である。また、製品ではなく文献としてはブラシの替わりにヘラを用いた特許文献３、特許文献４のような資料も見受けられる。
【０００３】
しかしながら、特許文献１、特許文献２のようにこれら一般的なブラシ部を用いた塗布具の場合、各種液剤、薬剤がブラシ部に付着し取れにくく、汚れがめだち衛生上の懸念のほか、付着した薬剤によりブラシ部の柔軟性、しなり、強度等が変化し、理容師、美容師等の施術者にとって作業が行いにくかった。また施術される顧客にとっても毛髪にあたるブラシの押圧感触が塗布時間の経過とともに変化し心地よいものとは言えなかった。
【０００４】
ブラシ毛の集合体はどうしても根元が細く、ブラシ毛先端に行くにつれて広がり、塗布量のコントロールがしにくく、経年劣化、薬剤劣化によりブラシの毛が塗布具より１本１本抜け落ちることがあった。また、薬剤保管容器内に抜け落ちたブラシの毛が薬剤に混入し、薬剤保管容器内が見た目にも美しいと言えない虞もあった。さらに、ブラシ毛の洗浄にはブラシを一本一本行うことが要求される場合もあり、手間がかかるし、経年劣化に弱かった。
【０００５】
顧客が美容院、理容室に来店し施術を受けるのは、単に髪を切り、清潔にするという衛生上の観点以外に美しさを求め、自己表現を行う場でもある。頭部への施術により安らぎを求め、さらに理容師、美容師等の施術者との触れ合いによる精神的な潤いを求める場でもある。
この施術中に施術器具に各種薬剤が付着している状態では顧客の求める安らぎ、潤いが低減してしまう。また、これら薬剤を施術者が清掃のため手でそり落とす等の行為があると、顧客からは「汚い」、「掻き集めて再使用を図るのでは」等の憶測を呼び、同様に顧客の求める安らぎ、潤いが低減してしまう虞があった。
【０００６】
また、従来から特許文献３、特許文献４のようにブラシの替わりにヘラ部を設けて施術するための塗布具が文献に開示されている。
しかし、特許文献３では同じ材質で一体に成型するならば製造が可能としても、異なる材質でヘラ部、基台部を形成することがむずかしく、同じ材質で基台部の強度を保ちつつヘラ部の柔軟性、しなりを持たせることが現実には難しかった。
また、異材質を使用すると製造自体に困難が伴うものであった。
【０００７】
さらに、特許文献４に示された塗布具では、櫛部と塗布部の重量バランスおよび塗布部先端と柄部の重量バランスより塗布具の取り回しが難しくなる虞があった。さらに、頭髪の根元部分にヘアカラー薬剤を塗布し、頭部の毛髪を左右に分け、いずれの側の毛髪にもムラなく均一に薬剤を塗布することが塗布部の重厚さより困難となる虞があった。また、塗布部が二重の構造となっているためより液剤をつけて毛髪に施術する際、薬剤のコントロールが難しかった。また、全体として凹凸が多い構造のため、特に、塗布部の洗浄作業が難しくなる虞があった。
【０００８】
さらに、従来では施術中に塗布具を一時的に置くことが難しかった。前述の各特許文献に見られるように施術者が塗布具を手に取り、顧客の髪に対し施術を行っているときは良いが、他の器具を取り別の施術を行う場合に、一旦、該塗布具を保管、待機させて置くことが難しかった。また、複数色でカラーリングするときなどは複数の塗布具を必要とするが、使用しない塗布具を薬剤中に浸漬して保管しなくてはならず、いざ使用するとき塗布具上の薬剤コントロールがむずかしかった。
従来では液剤が入っている液剤保管容器に浸しておくか、柄部を起てて鉛筆保管用缶等に立掛けるなど、施術中の保管を顧客から見て優雅かつ美的に行うことが難しかった。
【先行技術文献】
【特許文献】
【０００９】
【特許文献１】特開２００５−１１０８７０号公報
【特許文献２】特開２００４−１５４４２６号公報
【特許文献３】実用新案登録３１３１８２５号公報
【特許文献４】特開２０１９−１９８５６８号公報
【発明の概要】
【発明が解決しようとする課題】
【００１０】
本開示に係る一実施形態では、塗布具のバランスが的確で施術者の操作性作業性が向上した塗布具の提供が可能となる。また、毛髪への薬剤塗布量を的確にコントロール可能な塗布具の提供にある。また、本開示に係る一実施形態では、洗浄、清掃が容易で衛生的でかつ施術中の一時待機、保管が容易である塗布具の提供にある。
さらに、本開示に係る一実施形態の塗布具を毛髪へ使用することにより顧客に物理的精神的に満足を与えることができる毛髪用塗布具の提供を課題とする。
【課題を解決するための手段】
【００１１】
上記目的を達成するために本開示に係る一実施形態は、基台部の一辺側に櫛歯が列設してなる櫛部、これに対向して形成されるヘラ部および基台部の長手方向後部に形成される柄部を有する染毛用塗布具であって、
基台部の前記一辺側に対向する辺の部分に接合部が形成され、
ヘラ部は、平面長方形状に形成され、ヘラ部下部の長辺方向に形成された切欠き部を有し、該切欠き部の肉厚は、前記基台部の先端側より前記基台部の前記柄部側の方が薄く構成され、
前記ヘラ部は、接合部に設けられる溝に前記切欠き部を離脱可能に嵌入して基台部に固定され、
櫛部の長手方向の長さＮ１とヘラ部の長辺方向の長さＮ２との比であるヘラ部の長辺方向の長さＮ２／櫛部４の長手方向の長さＮ１が、０．７＜Ｎ２／Ｎ１＜１．１の範囲とする毛髪用塗布具である。
【００１２】
また、本開示に係る他の実施形態では、ヘラ部の上部長辺と櫛部が設けられる基台部の前記一辺との成す角度が１５度から２５度の範囲を有する毛髪用塗布具
である。
【００１３】
さらに、本開示に係る他の実施形態では、前記基台部の前記中央部分で毛髪用塗布具全体の重心より前記柄部側に形成される貫通孔と、前記中央部分から延びて前記貫通孔の一面を覆う係合部とを備える毛髪用塗布具である。
【００１４】
さらに、他の実施形態に係る塗布具では、基台部２からの櫛高さ長Ｍ１とヘラ部のうち基台部より露出している部分の短辺方向の長Ｍ２との比であるヘラ部短辺長Ｍ２／櫛高さ長Ｍ１が、１．２＜Ｍ２／Ｍ１＜１．８の範囲とする毛髪用塗布具である。
【発明の効果】
【００１５】
本開示に係る一実施形態の毛髪用塗布具は、離脱可能なヘラ部を有する構造を可能とし、操作性、作業性が向上し、使い勝手に優れ、薬剤除去を容易とし、衛生的なヘアカラー、薬剤を塗布することができる。毛髪への薬剤塗布量を的確にコントロール可能で、施術中の一時保管が行え、使い勝手に優れた塗布具を提供するものである。ヘラ部を取り外し可能とすることにより薬剤除去、洗浄等が容易で衛生的な毛髪用塗布具を提供するものである。
また、ヘラ部の材質を選択できる構造としたので、一体構造に比べ製造をより簡単にすることができ、使用感に優れた塗布具を容易に得られる。
さらに、櫛で毛髪を梳いてから、同様な幅で薬剤を塗布することができ、少ない回数で適量を毛髪に塗布することができる。
【００１６】
本開示に係る一実施形態の毛髪用塗布具は、理容・美容施術に際して、顧客が施術中に頭部に痛み等の不快感を感ぜず、短時間に効率よく毛髪に薬剤を塗布することができ、薬剤の無駄な使用やヘラ部の劣化を防ぐことができる。さらに、作業効率の向上から顧客の拘束時間を低減し、ヘアスタイリストの煩雑作業の解消することに寄与し、顧客、理容院、美容院に多大な貢献をもたらす。
【図面の簡単な説明】
【００１７】
【図１】本開示に係る塗布具１００の一実施形態の正面図である。
【図２】図１を紙面裏側ヘラ部前方より見た塗布具１００の一実施形態の斜視図である。
【図３】図２に示した塗布具からヘラ部を離脱した状態を説明する斜視図である。
【図４】図１を紙面上部から見た塗布具の一実施形態の平面図である。
【図５】図１２をＡ―Ａ線で切ったＡ−Ａ線断面図である。
【図６】図１２をＢ−Ｂ線で切ったＢ−Ｂ線断面図である。
【図７】図１２をＣ−Ｃ線で切ったＣ−Ｃ線断面図である。
【図８】図１に示す一実施態様に係るヘラ部の正面図である。
【図９】図８に示すヘラ部の左側面図である。
【図１０】図８をＤ―Ｄ線で切ったＤ−Ｄ線断面図である。
【図１１】図１に示す本開示に係る塗布具の一実施形態を薬剤保管容器に一時保管する際の一形態の断面図である。
【図１２】図１に示した塗布具の一実施形態の正面図を用いて各部の機能を説明するための正面図である。
【図１３】図４からヘラ部を取り外した状態で図４をＦ―Ｆ線で切ったＦ−Ｆ線断面図である。
【図１４】図８に示すヘラ部の他の実施形態の左側面図である。
【発明を実施するための形態】
【００１８】
以下添付図面に基づいて、本開示に係るヘアカラー等の薬剤を塗布するための塗布具の一実施の形態を詳説する。なお、電子出願の図面取り込みの関係上、左に９０度回転した等の図もあるが、数字、記号を普通に読める位置に図を置いた状態を基準として方向、位置等を説明している。
【００１９】
図１は、本開示に係る薬剤を塗布するための塗布具の第一の実施形態の正面図、図２は、図１を紙面裏側ヘラ部前方より見た塗布具の一実施形態の斜視図、図３は、図２に示した塗布具からヘラ部を離脱した状態を説明する斜視図である。
これらの図において、一の実施形態に係る塗布具１００は、基台部２、柄部３、櫛部４を有する用具本体１を備え、基台部２にヘラ部５を離脱可能に嵌入して形成される。
【００２０】
基台部２は図１において、台形状に形成され、図１上、左側の上辺、右側の底辺、上側の上脚、下側の下脚を有している。そして、下脚には櫛部４が、底辺には柄部３が一体的に形成されている。
また、基台部２の上脚にはヘラ部５を嵌入する接合部６が形成されている。
基台部２の上脚の柄部３側（図１上、右側）下方に貫通孔７が図１上紙面を手前から奥へ穿られている。  この実施態様では基台部２の中央部分１３は、軽量化のため上辺、上脚、下脚のそれぞれの部分よりその肉厚を薄く形成している。
図１では、基台部２の下脚に沿って形成される櫛部の長手方向の長さをＮ１と、ヘラ部５の基台部２の上脚に沿ったヘラ部の長辺方向の長さＮ２として表示している。
【００２１】
図１、図２、図３に示すように貫通孔７を覆う係合部８が形成される。この一実施形態では係合部８は正面側ではなく、図２に示すように背面側に形成されている。図３は、図２に示すヘラ部５を基台部２の先端側に引き出し、離脱した状態を示している。また、図１２は、図１に示した塗布具１００の一実施形態の正面図を用いて各部の機能を説明するための正面図である。
【００２２】
図４は、図１を紙面上部から見た塗布具１００の平面図にあたり、係合部８は、図上、ひらがな「つ」の字状に貫通孔７の一面（この実施形態では背面側）を覆うように形成されている。  係合部８は、基台部２との間に隙間２５を有し、この隙間２５は、後述するように薬剤保管容器の開口部分の縁と係合する。図５は、図１２をＡ−Ａ線で切って図１２上、左側から見た断面図である。また、図５は、図４をＥ−Ｅ線で切り、図４上左側から見た断面図とも言える。
【００２３】
この一実施形態では係合部８の図１、図２での上下方向の長さ、横方向の長さは、貫通孔７の図１での上下方向の長さ、横方向の長さと同等に形成されている。この貫通孔７は、用具本体１を樹脂形成する際に型抜きに使用されるもので、円滑な大量生産のために設けられたものである。樹脂成型の際にアンダーカットなどと呼ばれる手法でもある。
【００２４】
また、この一実施態様では、貫通孔７は、基台部２の中央部分１３で毛髪用塗布具１００全体の重心より長手方向で後方つまり柄部３側に形成されている。塗布具１００の長手方向の重心より柄部３方向で基台部２に貫通孔７を形成し、この貫通孔７の一面を覆うように基台部２から隙間２５をあけて係合部１３が形成されている。
【００２５】
図６は、図１２をＢ−Ｂ線で切って図１２上、左側から見た断面図である。また、図７は、図１２をＣ−Ｃ線で切って図１２上左側から見た断面図である。図６において基台部２上部の上脚に形成される接合部６は、中央部分１３より肉厚に形成されており、軽くて強度のある構造となっている。この接合部６には、図６に示す断面図にように溝１１が切られ、溝１１の両壁１２の上部には切片９が形成されている。対向する切片９の間隔は、この一実施形態では一定であり、切片は平行に設けられている。
【００２６】
図１３は、図４からヘラ部を取り外した状態で図４をＦ―Ｆ線で切ったＦ−Ｆ線断面図である。溝１１は、基台部２の上脚に沿って接合部６に形成されており、切片９が壁１２より溝１１上部の一部を覆うようにヘラ部５の長辺方向に延びている。
【００２７】
図８は、一実施形態である図１のヘラ部を基台部２の接合部６より離脱させて図１と同様に正面から描いたヘラ部５の正面図である。この一実施形態に係るヘラ部５は、図８上、横方向が長い長方形状で上部長辺両側に縁取り１５が施されている。下部には長方形状の底辺に平行に切欠き部１６が長辺方向に形成されている。  
【００２８】
また、図９の左側面図に示すように図８を図上左側から見た（先端側から見た）ヘラ部の側面は、上部の肉厚が薄く、下部の肉厚が厚い全体としてテーパー状で、全体として切欠き部１６の上部の肉厚が薄く、下部の肉厚が厚いテーパー状に構成されている。このテーパー状のためヘラ部のしなりを利用でき、操作性が向上し、毛髪に均一に薬剤を塗布することができる。
【００２９】
図１０は図８をＤ−Ｄ線で切った断面図で、ヘラ部５に形成される切欠き部１６の厚さを表すための断面図である。
この切欠き部１６は、切欠き部１６の柄部４側部分（図１０右側）の厚さＬ１とその反対側である先端側（図１０左側）の厚さＬ２を有している。柄部４側の厚さＬ１は、先端側の厚さＬ２より薄く形成され、長さはＬ１＜Ｌ２である。これは、ヘラ部５をできるだけ容易に接合部６に嵌入させるためであり、これによりヘラ部５は、基台部２に着脱可能に嵌入されている。
なお、図９にＬ２の記載表示はないが、図９に示す切欠き部１６の厚さ（長さ）は、図９が図８を左側から見ているためＬ２となる。
【００３０】
ヘラ部５を接合部６に嵌入させようとするとき、ヘラ部５の下部は溝１１内に挿入され、ヘラ部５の切欠き部１６は接合部６の切片９と係合し、また、ヘラ部５の切欠き部１６より下の部分は接合部６の溝１１の壁１２と当接する。この一実施形態では、切片９の間隔を一定としているため、ヘラ部５を基台部２に嵌入する際、最初は緩く当接するが、嵌入するにしたがって硬くなる構造となっている。
【００３１】
ヘラ部５は、接合部６に設けられる溝１１に切欠き部１６を離脱可能に嵌入して基台部２に固定される構造のため、棒状の柄の先端にヘラに設けた開口を挿入して固定する構造に比べ、施術者の手の動きを正確にヘラ部に伝えることができ、操作性作業性が向上した塗布具となる。
【００３２】
ヘラ部５は、しなやかに弾力性を持った復元性の高い、可撓性の高い材質により形成される。一般的に材質は、ゴムやエラストマで形成され、この一実施形態ではエラストマが使用される。  この材質を使用することを一つの理由として全体の柔軟性が失われず、毛髪に塗布し易いものとなり、ムラなく塗布できるようになる。
【００３３】
なお、この一実施形態では基台部、櫛部、柄部が一体に形成されているが、材質は、ポリプロピレンが使用されている。ポリプロピレンは成形にて安価に量産でき、耐薬品性に優れている。ただし、他の材質と接着性が悪く、本一実施形態明では、柔軟性に富むヘラ部を固定させるために接合部を形成し、離脱可能に嵌入させている。
【００３４】
ヘラ部は基台部等に比べ薬剤に強い性質が特に必要でゴム製品が材質として適当であり、エラストマ、シリコンゴムなどであってもよく、他にナイロン、ポリエステル等であっても対薬品性が高く、柔軟性に富む物質であれば用いることが可能である。
【００３５】
ヘラ部の上部縁に縁取り１５を行っているので薬剤を取る際、液だれしやすい形成されている。  これにより、ヘラ部の中央に薬剤が集合しやすくなり、さらに薬剤保管容器の開口部の湾曲している部分とうまく整合し、薬剤をヘラ部に付着する操作性が向上し、液量のコントロールが向上する。
さらに、嵌入可能な構造としているので必要に応じて材質を変えたヘラ部を使用して、しなり、柔軟度、表面への凹凸の付加による塗布量の変更等自由に行うことができる。
【００３６】
この実施態様で使用されるヘラ部は、横長7センチメートル、接合部から露出している縦長３センチメートル、接合部内の縦長０．７センチメートルであり、このヘラ部を用いる一実施態様の毛髪用塗布具のヘラ部先端を荷重測定器の測定面に当てて加重をかけて耐圧性を測定する。このとき、加重の値が１０００ｇ〜９００ｇを示す状態の圧力がヘラ部の先端に掛かっていてもヘラ部は接合部から外れることはない。
【００３７】
また、ヘラ部の材質は、ヘラ部先端に４００ｇ〜８００ｇの力を加えると先端から１センチメートルの地点でヘラ部を直角に曲げることができるしなりを有するものが望ましい。
【００３８】
次に、図１２を用いてヘラ部５の上部長辺と櫛部４が設けられる基台部２の前記一辺との成す角度θについて説明する。この角度θは５度から３０度が好ましく、本開示に係る一実施形態の塗布具では、１５度から２５度の角度を有することが特に好ましい。これにより、ヘラ部を用いて、ヘアリンス用の薬剤保管容器から薬剤をヘラ部に取る際、固定され用具本体と一体形成されている櫛部を倒しながら、施術者の手首を容易に反転回動させてヘラ部に薬剤を取るためである。この角度の構造により容易に適量の薬剤をヘラ部に付着し取ることができる。
【００３９】
ヘラ部５の上部長辺と櫛部４が設けられる基台部２の前記一辺との成す角度θをこのように形成するので、反転が容易となる。また、施術者が毛髪の一部を保持したまま、ヘラ部全体を使用して塗布が容易にできる。さらに、この角度を有することにより、ヘラ部を薬剤保管容器に浸したとき、ヘラ部を下として容器内に入れるため、一般的には柄部が容器より外に延びることとなり、薬剤をヘラ部に取りながらの作業が容易となる。
【００４０】
さらに、図１２に示すようにこの一実施態様では、基台部２からの櫛高さ長Ｍ１、ヘラ部の基台部より露出している部分の短辺方向の長Ｍ２の比を２：３としている。つまり、この実施形態では、Ｍ２／Ｍ１（Ｍ２÷Ｍ１）を１．５として実施しているが、１．２＜Ｍ２／Ｍ１＜１．８の範囲であれば施術者が櫛部からヘラ部に反転させた際、施術者の手首の動きが軽やかで反転回動が楽になり、ヘラ部の薬剤を適量毛髪に塗布することができる。そして、ヘラ部に取り得た薬剤を的確に毛髪に塗布することができ、作業性が向上する。
【００４１】
また、一般に、毛髪に薬剤を塗布する際、顔の両目間の中心より髪の毛を二つに分け、その内一つの部分を耳前と耳後ろに分ける。全体として４つのパートに分けて一つずつ作業を行っていく。このとき一つのパートに対して櫛を用いて毛髪を梳いてから反転する際、この比率に構成しているため反転が容易となる。また、施術者が毛髪の一部を保持したまま、ヘラ部全体を使用して塗布が容易にできる。
【００４２】
また、この一実施態様ではさらに図１に示す櫛部４の長手方向の長さＮ１とヘラ部５の長辺方向の長さＮ２の比を、ほぼ一致させている。
そして、該比を０．７＜Ｎ２／Ｎ１＜１．１とすることにより、施術者が一つのパートに対して櫛を用いて毛髪を梳いてから櫛部を反転させてヘラ部に薬剤を塗布する際、梳いた櫛部の横方向の長さ（長手方向の長さ）と同様な長さでヘラ部の長辺側の長さが構成されているので、ヘラ部を十分に使用して薬剤塗布を行うことができる。
【００４３】
従来では、ブラシは櫛横方向幅よりも短く、しかも先端が開いた状態であり施術者が複数回同一毛髪部分に施術しなくてはならなかったが、少ない回数で適量を塗布することができる。また、施術者が毛髪の一部を保持したまま、ヘラ部全体を使用して塗布が容易にできる。櫛で梳いて同じ幅で塗布することができる
【００４４】
さらに、従来、ブラシは、それぞれが分離しておりブラシの先端はいわば点の集合で、薬剤がうまく取れず、刷毛内に溜まり易く、塗布量のコントロールを行いにくく、ときには顧客の顔側にはみ出ることもあった。しかし、この一実施形態ではヘラ部が面で薬剤を取ることができ、これらを解消することはもちろん、ヘラ部の平面で毛髪を叩きながら薬剤を塗布し、浸透率を上げ、綺麗に薬剤を発光させる技法を取ることもできる。
【００４５】
図１１は、一実施態様に係る塗布具１００を薬剤に保管する保温カップに係合させている状況を表す概略断面図である。一実施態様に係る塗布具１００を保温カップに係合させて、一時保管している例である。保温カップ（例えば意匠登録第１５６５３０２号）は、上部カップ２１と下部カップ２２で構成され、下部カップ２２に入れた保温用液体によって上部カップ２１内の髪染め用の液剤等の薬剤を溶かしているものである。この塗布具１００の係合部８の隙間２５を上部カップ２１の縁部に挿入して、縁部と係合部８を係合させて塗布具１００を一時待機、保持、保管しているものである。
【００４６】
例えば、顧客の意向によって複数色で毛髪を塗布する場合に、色によって複数の塗布具１００を使い分ける必要があり、使用していない塗布具１００を待機させるのに有用である。
また、準備の際、塗布中に一旦休止する等が生じた際に塗布具１００を衛生的に保管することが可能となる。
【００４７】
これにより薬剤保存容器縁に係合部を係合して保管できるので、薬剤に長い時間浸して使用することがなくなるため劣化を防ぐことができる。
【００４８】
本開示に係る一実施形態の毛髪用塗布具は、ヘラ部を有する構造を可能とし、施術中の一時保管が行え、操作性が向上し、毛髪への薬剤塗布量を的確にコントロールすることができ、使い勝手に優れ、薬剤除去を容易とし、衛生的なヘアカラー、薬剤を塗布することができる。
また、ヘラ部の材質を選択できる構造としたので、一体構造に比べ製造をより簡単にでき、使用感に優れた塗布具を容易に得られる。
【００４９】
以上のように、
本開示に係る一実施形態は、基台部の一辺側に櫛歯が列設してなる櫛部、これに対向して形成されるヘラ部および基台部の長手方向後部に形成される柄部を有する染毛用塗布具であって、ヘラ部は、平面長方形状に形成され、ヘラ部下部の長辺方向に形成された切欠き部を有し、該切欠き部の肉厚は、前記基台部の先端側より前記基台部の前記柄部側の方が薄く構成され、
前記ヘラ部は、基台部の前記一辺側に対向する辺の部分に形成される接合部に設けられる溝に前記ヘラ部の前記切欠き部を離脱可能に嵌入して基台部に固定され、櫛部４の長手方向の長さＮ１とヘラ部５の長辺方向の長さＮ２との比であるヘラ部５の長辺方向の長さＮ２／櫛部４の長手方向の長さＮ１が、０．７＜Ｎ２／Ｎ１＜１．１の範囲である毛髪用塗布具である。
【００５０】
これにより、施術者が一つのパートに対して櫛を用いて毛髪を梳いてから反転させて薬剤を塗布する際、梳いた櫛部の横方向の長さ（長手方向の長さ）と同様な長でヘラ部の長辺側の長さを十分に使用して薬剤塗布を行うことができ、少ない回数で薬剤の適量を塗布することができる。また、施術者が毛髪の一部を保持したまま、ヘラ部全体を使用して塗布が容易にできる。
【００５１】
また、他の一実施形態では、
前記ヘラ部の長辺方向と前記基台部の前記先端側から柄部方向とが成す角度が１５度から２５度である染毛用塗布具である。
【００５２】
これにより櫛部からヘラ部へまたはその逆方向への反転が容易となり、施術者が毛髪の一部を保持したまま、ヘラ部全体を使用して塗布が容易にできる。
さらに、この角度により、ヘラ部を薬剤保管容器に浸したとき、ヘラ部を下として容器内に入れるため、一般的には柄部が容器より外に延びることとなり、薬剤をヘラ部に適量取りながらの作業が容易となり、使い勝手に優れ、操作性が向上した塗布具を提供となる。
【００５３】
また、他の一実施形態では、
前記基台部の接合部、櫛部を有する一辺側が前記基台部の中央部分より肉厚な毛髪用塗布具なので、軽くて操作性に優れ、強度を有する毛髪用塗布具の提供となる。
【００５４】
また、他の一実施形態では、
毛髪用塗布具全体の重心より前記柄部側で前記中央部分に形成される貫通孔と、中央部分から延びて前記貫通孔の一面を覆う係合部とを備える毛髪用塗布具なので、施術中に他の器具を取り別の施術を行う場合に、一旦、該塗布具を保管、待機させることが容易となり、操作性が向上し、薬剤除去、洗浄等が容易に行え、衛生的な毛髪用塗布具を提供するものである。
【００５５】
さらに、他の一実施形態では、前記ヘラ部の上部が下部より薄く形成され、ヘラ部の短辺側側面がテーパー状である毛髪用塗布具なのでヘラ部を接合部に嵌入しやすく、薬剤量のコントロールが正確な塗布具の提供となる。
【００５６】
また、他の実施形態では、基台部２からの櫛高さ長Ｍ１とヘラ部のうちヘラ部の基台部より露出している部分の短辺方向の長Ｍ２との比であるヘラ部短辺長Ｍ２／櫛高さ長Ｍ１が、１．２＜Ｍ２／Ｍ１＜１．８の範囲である毛髪用塗布具なので、ヘラ部と櫛部の反転交換が楽になり、操作性が向上し、使い勝手に優れ、薬剤除去を容易とし、衛生的にヘアカラー、薬剤を塗布することができる。さらに、作業効率の向上から顧客の拘束時間を低減することができる。
【００５７】
なお、柄部は一実施態様では基台部に一体に製造したがこれは基台部に嵌め込むような構造としてもよい。本発明の一実施形態では基台部２の長手方向後半に柄部４を一体的に備えているが、一体的に構成されていても、あるいは分解可能に構成されていても、いずれでもあってもかまわない。
また、図４で係合部８を図上、ひらがな「つ」の字状に形成しているが、これは欧文字「Ｌ」の字状であっても良いことはもちろんである。
【００５８】
なお、基台部２は、プラスチック樹脂する例を示したが、ポリプロピレン、ポリスチレン、アクリル樹脂、ポリカーボンなどであってももちろんよく、また、なにもプラスチック樹脂に限らず、軽くて成型が容易な金属であってもよい。
さらに、一実施形態では係合部８は正面側ではなく、図２に示すように背面側に形成されているが、これは正面側であっても良い。
【００５９】
図３、図１３に示すように溝１１に形成される接合部の長手方向に延びる切片９の間隔は、一実施態様では、切片の間隔を一定つまり平行として同じ間隔としている。
しかし、図１０に示すようにヘラ部の切欠き部１６は、長手方向にテーパー状で柄部側に向けて狭くなる構造となっており、これに合わせて、切片の間隔を長手方向にテーパー状で柄部側に向けて狭くなる構造としてもよい。この場合、ヘラ部は嵌入の際に特別、引っかかりなく接合部に嵌入することができる。
【００６０】
さらに、切片間隔を一定にしてヘラ部の切欠き部の厚さも一定とすることによっても実施しすることもできる。
【００６１】
本開示による一実施態様において、図９に示すようにヘラ部の短辺側側面が先端部の薄いテーパー状、つまり、ヘラ部の上部が下部より薄く形成され、ヘラ部の短辺側側面がテーパー状としているが、これはテーパー状に限られるものではなく、例えば、図１４に示すようにヘラ部１５の先端部より切欠き部近くまで一定の薄い厚さで構成し、切欠き部近くでヘラ部１５の底部と同じ厚さを構成する構造としてもよい。つまり、ヘラ部の上部より切欠き部に向けて一定の厚さで、切欠き部上部が肉厚に形成されてもよい。
【００６２】
さらに、ヘラ部の先端部より切欠き部近くまで図９より薄いテーパー状に構成し、切欠き部近くでヘラ部１５の底部と同じ厚さとする構成する構造としてもよい。
さらに、図９と図１４とはヘラ部の上部の厚さが図面上異なるが図１４のヘラ部上部の厚さでヘラ部の切欠き部上の厚さを図９の構成としてもよい。
要は、しなりを有する構造、とりわけ、ヘラ部先端に４００ｇ〜８００ｇの力を加えるとヘラ部の先端から下方に１センチメートルの地点でヘラ部が直角に曲がるようなしなりを有することができればよい。
【００６３】
また、以上の実施の形態に示した構成は、例として提示したものであり、発明の範囲を限定することは意図していない。これらは、本発明の構成の一例であり、別の公知の技術と組み合わせることも可能であるし、本発明の要旨を逸脱しない範囲で、一部を省略して構成してもよいことは言うまでもない。
また、同一番号を付した部分は必ずしも同一部品、物とは限られず、いわゆる変形例、他の実施形態をさす場合もある。
【００６４】
すなわち、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。つまり、上記のように本開示の一実施形態について詳細に説明したが、本開示の新規事項及び効果から実体的に逸脱しない多くの変形が可能である。従って、このような変形例は、全て特許請求の範囲に含まれるものとする。
【００６５】
例えば、明細書又は図面において、少なくとも一度、より広義又は同義な異なる用語と共に記載された用語は、明細書又は図面のいかなる箇所においても、その異なる用語に置き換えることができる。また、電子出願の図面取り込みの関係上、左に９０度回転した等の図もあるが、数字、記号を普通に読める位置に図を置いた状態を基準として方向、位置等を説明している。つまり、図上の説明で左右上下、裏表等の表現は数字、記号を普通に読める位置を標準として表現している。さらに、基台部、係合体、接合部の構成、動作も本開示の一実施形態で説明したものに限定されず、種々の変形実施が可能である。
【産業上の利用可能性】
【００６６】
各種液剤を塗布するまたは毛髪に対して薬剤を塗布するための塗布具を製造する産業はもちろん、特に美容、理容、化粧品産業界で利用することが可能である。
【符号の説明】
【００６７】
１…用具本体
２…基台部
３…柄部
４…  櫛部
５…ヘラ部
６…接合部
７…貫通孔
８…係合部
９…切片
１１…溝
１２…壁
１３…中央部分
１５…縁取り
１６…切欠き部
２１…上部カップ
２２…下部カップ
２５…隙間
１００…塗布具
【要約】      （修正有）【課題】バランスが的確で薬剤塗布量コントロール正確となり、操作性作業性が向上し、洗浄、清掃が容易で衛生的でかつ施術中の一時待機保管が可能となる毛髪用塗布具を提供する。【解決手段】基台部２の一辺側に櫛歯が列設してなる櫛部４、これに対向して形成されるヘラ部５および基台部２の長手方向後部に形成される柄部３を有する染毛用塗布具１００であって、基台部２の前記一辺側に対向する辺の部分に接合部６が形成され、ヘラ部５は、平面長方形状に形成され、ヘラ部５下部の長辺方向に形成された切欠き部を有し、該切欠き部の肉厚は、前記基台部２の先端側より前記基台部２の前記柄部３側の方が薄く構成され、前記ヘラ部５は、接合部６に設けられる溝に前記切欠き部を離脱可能に嵌入して基台部２に固定され、ヘラ部５の長辺方向の長さＮ２／櫛部４の長手方向の長さＮ１が、０．７＜Ｎ２／Ｎ１＜１．１の範囲を有する毛髪用塗布具１００。【選択図】図１【図１】
0006934265.tif 000002
【図２】
0006934265.tif 000003
【図３】
0006934265.tif 000004
【図４】
0006934265.tif 000005
【図５】
0006934265.tif 000006
【図６】
0006934265.tif 000007
【図７】
0006934265.tif 000008
【図８】
0006934265.tif 000009
【図９】
0006934265.tif 000010
【図１０】
0006934265.tif 000011
【図１１】
0006934265.tif 000012
【図１２】
0006934265.tif 000013
【図１３】
0006934265.tif 000014
【図１４】
0006934265.tif 000015